(57)【要約】      （修正有）【課題】テレビを壁面に寄せて設置する場合に使用されるテレビ台において、そのテレビ台の正面側に棚板を取付ける場合、その棚板の取付位置を上下方向に自由に設定することができるテレビ台を提供する。【解決手段】ベースと、ベースに立設された左右一対の下部支柱３と、下部支柱３の上部側に上下方向スライド可能に嵌合され、任意のスライド位置で固定可能な左右一対の上部支柱と、上部支柱の上部側に設けられ、テレビを支持可能なテレビ支持部と、少なくとも下部支柱３の正面側を覆うように下部支柱３に取付けられる飾り板７と、飾り板７の正面側に取付けられる棚板８と、棚板８を上下方向に無段階で取付ける取付機構１７とを有する。【選択図】図７
0003202140.tif 000002
【実用新案登録請求の範囲】
【請求項１】
ベースと、
前記ベースに立設された左右一対の下部支柱と、
前記下部支柱の上部側に上下方向スライド可能に嵌合され、任意のスライド位置で固定可能な左右一対の上部支柱と、
前記上部支柱の上部側に設けられ、テレビを支持可能なテレビ支持部と、
少なくとも前記下部支柱の正面側を覆うように前記下部支柱に取付けられる飾り板と、
前記飾り板の正面側に取付けられる棚板と、
前記棚板を上下方向に無段階で取付ける取付機構と、
を有することを特徴とするテレビ台。
【請求項２】
前記取付機構は、
前記棚板に形成された挿通孔に挿通される前記下部支柱と前記飾り板との前後に位置して設けられる手前側挟持部及び奥側挟持部と、
前記手前側挟持部と前記飾り板との間に挿入される押え部材と、
前記手前側挟持部に取付けられ、前記押え部材を前記飾り板に押し付ける向きに締付ける締付ネジと、
を有することを特徴とする請求項１に記載のテレビ台。
【請求項３】
前記下部支柱と前記上部支柱とは、背面側に位置する固定ネジにより固定されていることを特徴とする請求項１又は２に記載のテレビ台。
【請求項４】
前記下部支柱に係止片が設けられ、前記飾り板に前記係止片に係止される係止爪が設けられていることを特徴とする請求項１ないし３のいずれか一項に記載のテレビ台。
【請求項５】
前記上部支柱の背面側と前記係止片とに、前記テレビ支持部に支持された前記テレビの配線を束ねる結束バンドが設けられていることを特徴とする請求項１ないし４のいずれか一項に記載のテレビ台。
【考案の詳細な説明】
【技術分野】
【０００１】
本考案は、テレビを壁面に寄せて設置する場合に使用されるテレビ台に関する。
【背景技術】
【０００２】
近年、テレビの薄型化や大型化が進み、そのテレビを壁面に寄せて設置したいという要望が高まっている。テレビを壁面に寄せて設置する場合に使用されるテレビ台としては様々な形態のものが提案されており、例えば、下記特許文献１に記載されたものが知られている。
【０００３】
下記特許文献１に記載されたテレビ台は、テレビが載置されるパネルを有し、パネルの前面側にＤＶＤプレーヤーやビデオデッキ、リモコン等の機器を載置するための棚が取付けられている。
【先行技術文献】
【特許文献】
【０００４】
【特許文献１】米国特許出願公開第２００６／０２１４０７２号明細書
【考案の概要】
【考案が解決しようとする課題】
【０００５】
しかしながら、特許文献１に記載されたテレビ台は、棚の上下方向の取付位置がパネルに設けられた挿入穴の位置により決まるため、棚を上下方向の任意の位置に取付けることができない。
【０００６】
なお、パネルに設ける挿入穴の数を上下方向に沿って増やせば、棚の上下方向の取付位置の自由度を高めることができる。しかしその場合には、使用していない多数の取付孔が正面側から見えるため、テレビ台の意匠上の美観が損なわれる。
【０００７】
本考案の目的は、テレビを壁面に寄せて設置する場合に使用されるテレビ台において、そのテレビ台の正面側に棚板を取付ける場合、その棚板の取付位置を上下方向に自由に設定することができ、しかも、棚板の取付機構を正面側から見えないようにして意匠上の美観を向上させることである。
【課題を解決するための手段】
【０００８】
本考案に係るテレビ台は、ベースと、前記ベースに立設された左右一対の下部支柱と、前記下部支柱の上部側に上下方向スライド可能に嵌合され、任意のスライド位置で固定可能な左右一対の上部支柱と、前記上部支柱の上部側に設けられ、テレビを支持可能なテレビ支持部と、少なくとも前記下部支柱の正面側を覆うように前記下部支柱に取付けられる飾り板と、前記飾り板の正面側に取付けられる棚板と、前記棚板を上下方向に無段階で取付ける取付機構と、を有することを特徴とする。
【０００９】
また、前述のテレビ台において、前記取付機構は、前記棚板に形成された挿通孔に挿通される前記下部支柱と前記飾り板との前後に位置して設けられる手前側挟持部及び奥側挟持部と、前記手前側挟持部と前記飾り板との間に挿入される押え部材と、前記手前側挟持部に取付けられ、前記押え部材を前記飾り板に押し付ける向きに締付ける締付ネジと、を有することが望ましい。
【００１０】
また、前述のテレビ台において、前記下部支柱と前記上部支柱とは、背面側に位置する固定ネジにより固定されていることが望ましい。
【００１１】
また、前述のテレビ台において、前記下部支柱に係止片が設けられ、前記飾り板に前記係止片に係止される係止爪が設けられていることが望ましい。
【００１２】
また、前述のテレビ台において、前記上部支柱の背面側と前記係止片の背面側とに、前記テレビ支持部に支持された前記テレビの配線を束ねる結束バンドが設けられていることが望ましい。
【考案の効果】
【００１３】
本考案の実施形態に係るテレビ台は、下部支柱と上部支柱とが上下方向スライド可能に連結され、上部支柱の上部側にテレビを支持するテレビ支持部が設けられているので、上部支柱を上下方向にスライドさせることによりテレビの位置を上下方向に調節することができる。そして、下部支柱の少なくとも正面側が飾り板により覆われているので、テレビ台の美観を向上させることができる。また、飾り板の正面側に棚板が取付けられているので、この棚板にＤＶＤプレーヤーやビデオデッキ、リモコン等の機器を載置することができる。さらに、棚板は、取付機構により上下方向に無段階で取付けられているので、棚板の取付位置を自由に設定することができる。
【００１４】
また、棚板を飾り板の正面側に取付ける場合には、挿通孔に下部支柱とこの下部支柱に取付けられた飾り板とを挿通し、手前側挟持部と飾り板との間に押え部材を挿入し、締付ネジを締付けて押え部材を飾り板に押し付ける。これにより、下部支柱と飾り板とが抑え部材を介して奥側挟持部と手前側挟持部とで挟持され、棚板が取付けられる。そして、この取付方法によれば、棚板を無段階で上下方向の任意の位置に取付けることができる。さらに、手前側挟持部や奥側挟持部や押え部材からなる取付機構は棚板の裏面側に位置するためにテレビ台の正面側からは見えず、テレビ台の美観を向上させることができる。
【００１５】
また、下部支柱と上部支柱とは、背面側に位置する固定ネジにより固定されているので、テレビの荷重が上部支柱に作用しても、上部支柱が下部支柱に対して前後方向に傾くことを防止することができる。
【００１６】
また、下部支柱に係止片が設けられ、飾り板に係止片に係止される係止爪が設けられているので、下部支柱への飾り板の取付けを、係止爪を係止片に係止することにより手間をかけず簡単に行うことができる。
【００１７】
また、上部支柱の背面側と係止片とに、テレビ支持部に支持されたテレビの配線を束ねる結束バンドが設けられているので、テレビの配線を結束バンドで束ねることにより配線を正面から見えなくすることができ、テレビ台の美観を向上させることができる。
【図面の簡単な説明】
【００１８】
【図１】テレビ台を正面側から見た斜視図である。
【図２】テレビ台を背面側から見た斜視図である。
【図３】棚板を拡大して示す斜視図である。
【図４】下部支柱と上部支柱との連結構造を拡大して示す断面側面図である。
【図５】下部支柱への飾り板の取付構造を示す拡大して示す斜視図である。
【図６】棚板の取付構造を拡大して示す斜視図である。
【図７】棚板の取付構造を拡大して示す断面側面図である。
【考案を実施するための形態】
【００１９】
本考案の一実施の形態を図面に基づいて説明する。図１はテレビ台１を正面側から見た斜視図であり、図２はテレビ台１を背面側から見た斜視図である。このテレビ台１は、ベース２と、ベース２に立設された左右一対の角筒状の下部支柱３と、下部支柱３の上部側の内側に上下方向スライド可能に嵌合された左右一対の角筒状の上部支柱４と、上部支柱４の上部側に設けられてテレビ５を支持可能なテレビ支持部６とを有している。さらに、このテレビ台１は、下部支柱３に取付けられて下部支柱３の正面側と側面側とを囲む飾り板７と、飾り板７の正面側に取付けられてＤＶＤプレーヤーやビデオデッキ、リモコン等の機器が載置される棚板８とを有している。
【００２０】
一対の下部支柱３の下端部は、ベース２に設けられた立ち上り突部（図示せず）に嵌合され、この立ち上り突部に対して複数個の固定ネジ９により締付け固定されている。また、一対の下部支柱３は、上下一対の板状の係止片１０と、上下方向の中央部に位置する連結片１１とにより連結固定されている。
【００２１】
下部支柱３の背面側には上下一対の丸孔１２が形成され、上部支柱４の背面側には上下方向に沿って複数のネジ孔１３が形成されている。これらの丸孔１２とネジ孔１３とは、下部支柱３に嵌合させた上部支柱４を上下方向にスライドさせることにより丸孔１２といずれかのネジ孔１３とを対向させることができるように形成されている。そして、いずれかのネジ孔１３を丸孔１２に対向させ、丸孔１２に挿通させた固定ネジ１４をネジ孔１３に螺合させることにより下部支柱３と上部支柱４とが締付固定されている（図４参照）。
【００２２】
飾り板７は、両端に折曲部７ａを有する断面コ字状に形成され、下部支柱３の正面側を覆うとともに折曲部７ａが下部支柱３の側面側を覆い、下端がベース２の上面に当接されるように配置されている。さらに、飾り板７の内側部には図２及び図５に示すように左右一対の係止爪１５が上下に設けられ、これらの係止爪１５が上下の係止片１０に係止されることにより飾り板７が下部支柱３に取付けられている。
【００２３】
図１及び図３に示すように棚板８には挿通孔１６が形成され、この挿通孔１６には下部支柱３と下部支柱３に取付けられた飾り板７とが挿通されている。そして、棚板８は、取付機構１７により上下方向に無段階で飾り板７の正面側に取付けられている。この取付機構１７は、棚板８の裏面側に設けられた手前側挟持部１８及び奥側挟持部１９と、押え部材２０と、締付ネジ２１とを有している。
【００２４】
手前側挟持部１８及び奥側挟持部１９は、図６及び図７に示すように、挿通孔１６の前後に位置し、挿通孔１６に挿通される下部支柱３と飾り板７とを前後から挟んで平行に対向するように設けられている。
【００２５】
押え部材２０は、挿通孔１６に下部支柱３と飾り板７とが挿通された後に、手前側挟持部１８と飾り板７との間に挿入される角柱状の部材である。
【００２６】
締付ネジ２１は、手前側挟持部１８に取付けられたネジで、ネジの先端部が、手前側挟持部１８と飾り板７との間に挿入される押え部材２０に向けて突出するように配置されている。押え部材２０を挿入した後に締付ネジ２１を締付けることにより、締付ネジ２１の先端部が押え部材２０に当接し、押え部材２０を飾り板７の正面に押付ける。
【００２７】
上部支柱４の背面側と係止片１０の背面側とには、テレビ支持部６に支持されたテレビ５の配線（図示せず）を束ねる結束バンド２２が取付けられている。上部支柱４への結束バンド２２の取付けは、結束バンド２２の取付部をネジ孔１３に差し込むことにより行われている。
【００２８】
このような構成において、このテレビ台１は、下部支柱３に対して上下方向スライド可能に上部支柱４が嵌合され、下部支柱３の丸孔１２に挿通させた固定ネジ１４を上部支柱４のネジ孔１３に螺合させることにより、上部支柱４を任意のスライド位置で固定することができる。これにより、上部支柱４の上部側に設けられたテレビ支持部６に支持されるテレビ５の位置を上下方向の任意の位置に調節することができる。そして、この下部支柱３と上部支柱４との嵌合部分の正面側が飾り板７により覆われているので、下部支柱３と上部支柱４との嵌合部分が正面側から見えなくなり、テレビ台１の美観を向上させることができる。
【００２９】
下部支柱３と上部支柱４との固定は、図４に示すように、これらの下部支柱３と上部支柱４との背面側に位置する固定ネジ１４を用いて行われている。このため、テレビ５の荷重が上部支柱４に作用しても上部支柱４が下部支柱３に対して前後方向に傾くことを防止することができる。尚、固定ネジ１４を用いた下部支柱３と上部支柱４との固定を、固定ネジ１４を下部支柱３と上部支柱４との側面側に設けて行うと、経時的に上部支柱１４が固定ネジ１４の軸心回りに回動しやすくなり、上部支柱３が下部支柱４に対して前後方向に傾くという事象が生じやすい。
【００３０】
下部支柱３には飾り板７が取付けられており、下部支柱３への飾り板７の取付けは、図５に示すように、飾り板７の内側部に設けられた係止爪１５を下部支柱３に設けられた係止片１０に係止することにより行われている。このため、下部支柱３への飾り板７の取付けを、手間をかけず容易に行うことができる。
【００３１】
飾り板７の正面側に棚板８が取付けられており、この棚板８にＤＶＤプレーヤーやビデオデッキ、リモコン等の機器を載置することができる。
【００３２】
ここで、棚板８の取付けは、棚板８に形成された挿通孔１６に下部支柱３と下部支柱３に取付けられた飾り板７とを挿通させ、棚板８を上下方向の任意の高さ位置にスライドさせる。棚板８を任意の位置にスライドさせた後、手前側挟持部１８と飾り板７との間に押え部材２０を挿入し、手前側挟持部１８に設けられている締付ネジ２１を締付ける。締付ネジ２１を締付けることにより、締付ネジ２１の先端部が押え部材２０に当接し、押え部材２０が飾り板７の正面側に押付けられるとともに、奥側挟持部１９が下部支柱３の背面側に押付けられる。これにより、下部支柱３と飾り板７とがその前後方向から押え部材２０を介して手前側挟持部１８と奥側挟持部１９とにより挟持され、棚板８が取付けられる。
【００３３】
このようにして取付けられる棚板８は、上下方向の任意の位置に無段階で取付けることができ、テレビ台１の購入者が棚板８の取付位置を自由に設定することができる。また、棚板８を取付けるための取付機構１７は正面側から見えないため、テレビ台１の外観を向上させることができる。
【００３４】
上部支柱４の背面側と係止片１０とに結束バンド２２が取付けられているので、テレビ支持部６に支持されたテレビ５の配線を結束バンド２２により束ねることができる。これにより、テレビ５の配線を上部支柱４の背面側と飾り板７の背面側とに沿って配線することができ、配線が正面から見えなくなるのでテレビ台１の美観をより一層向上させることができる。
【００３５】
なお、飾り板７に関しては、色や模様が異なるものを複数用意しておき、テレビ台１の購入者が適宜選択できるようにしておくことが望ましい。
【００３６】
また、本実施形態では、両端に折曲部７ａを有する断面コ字状に形成された飾り板７を例に挙げて説明したが、この飾り板の形状としては、少なくとも下部支柱３の正面側を覆うことができればよく、例えば、平板形状であってもよい。
【符号の説明】
【００３７】
１      テレビ台
２      ベース
３      下部支柱
４      上部支柱
５      テレビ
６      テレビ支持部
７      飾り板
７ａ    折曲部
８      棚板
９      固定ネジ
１０      係止片
１１      連結片
１２      丸孔
１３      ネジ孔
１４      固定ネジ
１５      係止爪
１６      挿通孔
１７      取付機構
１８      手前側挟持部
１９      奥側挟持部
２０      押え部材
２１      締付ネジ
２２      結束バンド
【図１】
0003202140.tif 000003
【図２】
0003202140.tif 000004
【図３】
0003202140.tif 000005
【図４】
0003202140.tif 000006
【図５】
0003202140.tif 000007
【図６】
0003202140.tif 000008
【図７】
0003202140.tif 000009